(57)【要約】【課題】情報表示装置が整然と並べられていない場合でも、正しい位置関係を保ちながら部分表示情報を表示させるようにする。【解決手段】本発明の情報表示システムは、表示情報を提供する情報提供装置と、ある表示情報の一部である第１の部分表示情報を情報提供装置から取得して表示手段に表示するものであって、当該表示手段の位置を示す位置指示手段を有する第１の情報表示装置と、位置指示手段を検知して第１の情報表示装置の表示手段と自装置の表示手段との相対的な配置関係を認識する配置関係認識手段と、相対的な配置関係に応じて、第１の情報表示装置に表示される第１の部分表示情報に連続する第２の部分表示情報を情報提供装置から取得して表示手段に表示させる表示制御手段とを有する第２の情報表示装置とを備えることを特徴とする。【選択図】      図１
2010049485.tif 000002
【特許請求の範囲】
【請求項１】
表示情報を提供する情報提供装置と、
ある表示情報の一部である第１の部分表示情報を上記情報提供装置から取得して表示手段に表示するものであって、当該表示手段の位置を示す位置指示手段を有する第１の情報表示装置と、
上記位置指示手段を検知して上記第１の情報表示装置の表示手段と自装置の表示手段との相対的な配置関係を認識する配置関係認識手段と、上記相対的な配置関係に応じて、上記第１の情報表示装置に表示される上記第１の部分表示情報に連続する第２の部分表示情報を上記情報提供装置から取得して表示手段に表示させる表示制御手段とを有する第２の情報表示装置と
を備えることを特徴とする情報表示システム。
【請求項２】
上記位置指示手段が、上記表示手段の表面周縁に沿って複数設けられているものであり、
上記配置関係認識手段が、検知した上記位置指示手段の検知位置と自装置の表示手段の位置とに基づいて、上記相対的な配置関係を求めるものである
ことを特徴とする請求項１に記載の情報表示システム。
【請求項３】
上記表示制御手段が、上記第１の情報表示装置に表示される上記第１の部分表示情報の座標情報を上記第１の情報表示装置から取得し、上記相対的な配置関係に基づいて上記第２の部分表示情報の座標情報を求め、上記情報提供装置に対して要求するものであることを特徴とする請求項１又は２に記載の情報表示システム。
【請求項４】
上記情報提供装置が、提供する部分表示情報の座標情報を情報表示装置の識別情報に対応付けて管理する表示範囲管理テーブルを有し、
上記第２の情報表示装置が、少なくとも上記第１の情報表示装置の識別情報と上記相対的な配置関係を示す情報とを上記情報提供装置に与える通信手段を有し、
上記情報提供装置が、上記第２の情報表示装置から受信した上記第１の情報表示装置の識別情報と上記相対的な配置関係を示す情報とに基づいて、上記表示範囲管理テーブルを参照して、上記第２の部分表示情報を上記第２の情報表示装置に提供する
ことを特徴とする請求項１又は２に記載の情報表示システム。
【請求項５】
上記位置指示手段を設ける配置パターンが、表示手段の周縁位置の違いに応じて異なるものであり、
上記配置関係認識手段が、検知した上記位置指示手段の配置パターンの相違により、上記第１の情報表示装置の表示手段との重なり部分を認識するものである
ことを特徴とする情報表示システム。
【請求項６】
表示情報を提供する情報提供装置と、表示手段の位置を示す位置指示手段を有する第１の情報表示装置と、配置関係認識手段と表示制御手段とを有する第２の情報表示装置とを有する情報表示方法において、
上記第１の情報表示装置が、ある表示情報の一部である第１の部分表示情報を上記情報提供装置から取得して表示手段に表示し、
上記第２の情報表示装置において、
上記配置関係認識手段が、上記第１の情報表示装置の上記位置指示手段を検知して上記第１の情報表示装置の表示手段と自装置の表示手段との相対的な配置関係を認識する配置関係認識工程と、
上記表示制御手段が、上記相対的な配置関係に応じて、上記第１の情報表示装置に表示される上記第１の部分表示情報に連続する第２の部分表示情報を上記情報提供装置から取得して表示手段に表示させる表示制御工程と
を有することを特徴とする情報表示方法。
【請求項７】
情報提供装置から表示情報を取得する表示情報取得手段と、
表示情報を表示する表示手段と、
上記表示手段の位置を示す位置指示手段と、
他の情報表示装置の上記位置指示手段を検知して、当該他の情報表示装置の表示手段と自装置の表示手段との相対的な配置関係を認識する配置関係認識手段と、
上記相対的な配置関係に応じて、上記他の情報表示装置の表示手段に表示される部分表示情報に連続する部分表示情報を上記情報提供装置から取得して上記表示手段に表示させる表示制御手段と
を備えることを特徴とする情報表示装置。
【発明の詳細な説明】
【技術分野】
【０００１】
本発明は、情報表示システム、情報表示方法及び情報表示装置に関し、例えば、複数の情報表示装置を用いて、画像や文字などの表示情報を表示する情報表示装置に適用し得るものである。
【背景技術】
【０００２】
近年、電子ペーパ技術の開発が進展している。電子ペーパとは、２枚の基板間に電界を与えることで画像を表示するものであり、いったん画像を表示させた後は各画素に電圧をかけなくても長期間同じ画像を表示し続ける反射型ディスプレイをいい、紙の長所である視認性や携帯性を備えた電子情報の表示装置である。
【０００３】
従来、電子ペーパの表示部に、ある画像を表示させる際、その画像の一部分のみを表示させる技術がある。例えば電子ペーパ表示部に表示しきれない画像について、その画像の一部を抽出した部分画像を表示させるというものである。
【０００４】
また、それぞれ部分画像を表示させている複数の電子ペーパを並べることで、連続した位置関係の部分画像を表示させるという技術がある。
【０００５】
例えば、特許文献１には、１つの画像を分割した部分画像に対して、電子ペーパを用いて表示させたい部分画像を即座に表示させる技術が記載されている。具体的には、表示装置が隣接された表示装置を検出するセンサを備え、当該表示装置と隣接する位置関係の部分画像を隣接された表示装置に提供する部分画像提供手段を備える技術である。
【０００６】
また、特許文献２には、複数ページに亘るドキュメントの画像が分割された部分画像が書き込まれた表示媒体について、当該表示媒体の部分画像がその元となったドキュメント画像のどの部分に位置するかをユーザが容易に把握できるようにする技術が記載されている。
【０００７】
【特許文献１】特開２００６−３０５６３号公報
【特許文献２】特開２００７−２１９６０６号公報
【発明の開示】
【発明が解決しようとする課題】
【０００８】
しかしながら、上述した特許文献１及び２に記載の表示装置及びシステムには、以下のような問題がある。
【０００９】
特許文献１の記載技術は、画像を表示する表示部をそれぞれ有する複数の表示装置を用いて、１つの画像を複数に分割した部分画像を閲覧するために、ひとつの表示装置が、他の表示装置が隣接されたことを検出し、当該他の表示装置へ自己の表示部が表示している部分画像に当該他の表示装置と同じ位置関係で隣接する部分画像データを提供するものであり、タイル状に正しく隣接した表示装置に対して部分画像データを提供するものであって、それ以外に乱雑に隣接する場合には部分画像データを提供できない。
【００１０】
特許文献２の記載技術は、複数ページに亘るドキュメントの画像が分割された部分画像が書き込まれた表示媒体について、当該表示媒体に書き込まれた部分画像がその元となったドキュメント画像のどの部分に位置するかを把握するものであって、表示媒体に書き込まれる部分画像は、タイル状に整然と並べた状態で書き込まれることが決まっており、表示媒体の置く位置に自由度がなく、ＰＣなどで表示の制御を行う必要がある。
【００１１】
このように、特許文献１及び２の記載技術の場合、複数の電子ペーパを用いて連続的な画像を表示させるには、複数の情報表示装置を整然と隣接させることが条件となるので電子ペーパの自由度が狭く、より自由度が高く柔軟な電子ペーパが望まれている。
【００１２】
そのため、それぞれ部分画像を表示する複数の情報表示装置を並べて、連続的な位置関係の画像を表示する際に、情報表示装置が整然と並べられていない場合でも、正しい位置関係を保ちながら表示させることができる情報表示システム、情報表示方法及び情報表示装置が求められている。
【課題を解決するための手段】
【００１３】
かかる課題を解決するために、第１の本発明の情報表示システムは、（１）表示情報を提供する情報提供装置と、（２）ある表示情報の一部である第１の部分表示情報を情報提供装置から取得して表示手段に表示するものであって、当該表示手段の位置を示す位置指示手段を有する第１の情報表示装置と、（３）位置指示手段を検知して第１の情報表示装置の表示手段と自装置の表示手段との相対的な配置関係を認識する配置関係認識手段と、相対的な配置関係に応じて、第１の情報表示装置に表示される第１の部分表示情報に連続する第２の部分表示情報を情報提供装置から取得して表示手段に表示させる表示制御手段とを有する第２の情報表示装置とを備えることを特徴とする。
【００１４】
第２の本発明の情報表示方法は、表示情報を提供する情報提供装置と、表示手段の位置を示す位置指示手段を有する第１の情報表示装置と、配置関係認識手段と表示制御手段とを有する第２の情報表示装置とを有する情報表示方法において、（１）第１の情報表示装置が、ある表示情報の一部である第１の部分表示情報を情報提供装置から取得して表示手段に表示し、第２の情報表示装置において、（２）配置関係認識手段が、第１の情報表示装置の位置指示手段を検知して第１の情報表示装置の表示手段と自装置の表示手段との相対的な配置関係を認識する配置関係認識工程と、（３）表示制御手段が、相対的な配置関係に応じて、第１の情報表示装置に表示される第１の部分表示情報に連続する第２の部分表示情報を情報提供装置から取得して表示手段に表示させる表示制御工程とを有することを特徴とする。
【００１５】
第３の本発明の情報表示装置は、（１）情報提供装置から表示情報を取得する表示情報取得手段と、（２）表示情報を表示する表示手段と、（３）表示手段の位置を示す位置指示手段と、（４）他の情報表示装置の位置指示手段を検知して、当該他の情報表示装置の表示手段と自装置の表示手段との相対的な配置関係を認識する配置関係認識手段と、（５）相対的な配置関係に応じて、他の情報表示装置の表示手段に表示される部分表示情報に連続する部分表示情報を情報提供装置から取得して表示手段に表示させる表示制御手段とを備えることを特徴とする。
【発明の効果】
【００１６】
本発明によれば、それぞれ部分画像を表示する複数の情報表示装置を並べて、連続的な位置関係の画像を表示する際に、情報表示装置が整然と並べられていない場合でも、正しい位置関係を保ちながら表示させることができる。
【発明を実施するための最良の形態】
【００１７】
（Ａ）第１の実施形態
以下では、本発明の情報表示システム、情報表示方法及び情報表示装置の第１の実施形態について図面を参照しながら説明する。
【００１８】
第１の実施形態では、本発明の情報表示装置を電子ペーパシート装置に適用した場合の実施形態を例示して説明する。
【００１９】
（Ａ−１）第１の実施形態
図２は、第１の実施形態の電子ペーパシート装置を用いた情報通信システムの概略的な構成を示すシステム構成図である。
【００２０】
図２において、第１の実施形態の情報通信システム３は、電子ペーパシート装置１と、サーバ２とを有して構成される。
【００２１】
図２において、電子ペーパシート装置１は、所定の伝送路を介してサーバ２にアクセス可能なものであり、サーバ２から表示画像データの提供を受けて、画像を表示するものである。
【００２２】
ここで、電子ペーパシート装置１とサーバ２との間の伝送路は、特に限定されるものではなく、有線伝送路、無線伝送路のいずれを適用することができる。また、伝送路の通信プロトコルも、特に限定されるものではなく、種々の通信プロトコルを広く適用することができる。
【００２３】
電子ペーパシート装置１は、サーバ２に対して要求した表示画像データを受信し、受信した画像を表示する情報表示装置である。また、電子ペーパシート装置１は、他の電子ペーパシート装置１が隣接して置かれた場合又は重ねて置かれた場合、その他の電子ペーパシート装置１の位置関係を認識し、当該他の電子ペーパシート装置１が表示している部分画像に位置関係が連続する部分画像をサーバ２に要求し、この部分画像を表示するものである。
【００２４】
図２に示すように、電子ペーパシート装置１は、電子ペーパ表示部１１、表示制御部１２、通信部１３、センサ部１４、マーカー部１５を少なくとも有して構成される。
【００２５】
電子ペーパ表示部１１は、表示制御部１２の制御を受けて、受信した画像データに基づいて画像を表示する表示部である。電子ペーパ表示部１１は、既存の電子ペーパ技術を適用することができ、例えば、２枚の基板間に電界を与えることで受信画像データに基づく画像を表示する技術を適用できる。これにより、表示画像を長期間に亘って表示し続けることができる。
【００２６】
マーカー部１５は、電子ペーパ表示部１１の周縁に配置され、電子ペーパ表示部１５の位置を指示するものである。マーカー部１５は、後述するように、他の電子ペーパシート装置１のセンサ部１４に検知されるものである。マーカー部１５がセンサ部１４に検知されることにより、隣接又は重なって配置される電子ペーパ表示部１１の位置をセンサ部１４が認識することができる。
【００２７】
図１は、第１の実施形態の電子ペーパ表示部１１の構成イメージを示す構成図である。図１（Ａ）は、電子ペーパ表示部１１の表面構成を示す図である。図１（Ａ）に示すように、マーカー部１５は、電子ペーパ表示部１１の周縁に複数配置される。なお、マーカー部１５の配置の仕方は、様々な配置方法を適用できるが、例えば、電子ペーパ表示部１１の端部（上端部、下端部、左端部、右端部）に等間隔で配置させる方法を適用できる。また、マーカー部１５の数は、特に限定されるものではないが、後述するようにマーカー部１５の位置検出精度の観点から、数が多い方が精度良く位置検出させることができる。さらに、図１５に示すように、各端部（上端部、下端部、左端部、右端部）のマーカー部１５の配置パターンを変えて配置させるようにしてもよい。これにより、マーカー部１５の検知パターンから、どの端部を検知したかをセンサ部１４が認識することができる。
【００２８】
センサ部１４は、他の電子ペーパ表示部１１の周縁に設けられている１又は複数のマーカー部１５の検知し、他装置の電子ペーパ表示部１１と自装置の電子ペーパ表示部１１との相対的な配置関係を求めるものである。センサ部１４は、予め設定された基準座標軸情報を有しており、検知した各マーカー部１５の位置座標を求めるものである。これにより、上記相対的な配置関係を認識することができる。さらに、センサ部１４は、検知した各マーカー部１５の位置座標情報を表示制御部１２に与えるものである。
【００２９】
図１（Ｂ）は、電子ペーパ表示部１１の裏面構成を示す図である。図１（Ｂ）に示すように、電子ペーパ表示部１１の裏面には、横軸方向のＸ駆動線と縦軸方向のＹ駆動線とがマトリックス状に配備されたセンサ部１４が設けられている。
【００３０】
ここで、センサ部１４によるマーカー部１５を検知する方法としては、種々の方法を採用することができるが、電磁誘導方式を適用することができる。例えば電磁誘導方式を採用する場合の構成としては、既存する技術を広く適用することができ、ここでの詳細な説明は割愛するが、例えば、センサ部１４は、電子ペーパ表示部１１にマトリクス型の駆動線を配備させ、Ｘ駆動線又はＹ駆動線でもって、複数のスイッチ素子により閉ループ回路を形成することにより、他の電子ペーパ表示部１１のマーカー部１５からの電磁波を利用して位置を検出する方法を適用できる。
【００３１】
また、センサ部１４によるマーカー部１５の位置座標情報を取得する方法としては、検知した各マーカー部１５の検知位置を基準座標軸情報と照らし合わせることで、各マーカー部１５の検知位置に相当する位置座標情報を取得する方法を適用できる。
【００３２】
例えば、図３は、センサ部１４が有する基準座標軸情報を示す説明図である。図３の場合、電子ペーパ表示部１１の左上端部の位置を基準点（０，０）とし、上端部に沿ったＸ軸と、左端部に沿ったＹ軸とする場合を示す。基準点、Ｘ軸、Ｙ軸の取り方は、特に限定されるものではないが、第１の実施形態の情報表示システム３において共通に設定することが望ましい。
【００３３】
表示制御部１２は、電子ペーパ表示部１１の画像表示制御を行うものである。表示制御部１２は、電子ペーパ表示部１１に表示させる画像の画像データをサーバ２から取得するための要求信号を形成し、この要求信号を通信部１３を通じてサーバ２に送信させるものである。また、表示制御部１２は、通信部１３を通じてサーバ２から取得した画像データに基づく画像を電子ペーパ表示部１１に表示させるものである。
【００３４】
ここで、アクセスするサーバ２の特定方法や表示させる部分画像の指定方法等については、図示しないユーザ操作部からの指示に基づいて行う方法を適用できる。例えば、部分画像の指定方法としては、ユーザ操作を受けて、表示を希望する画像の四隅の位置情報（位置座標情報）をサーバ２に与える方法を適用できる。
【００３５】
また、表示制御部１２は、センサ部１４が検知した各マーカー部１５の位置座標情報をセンサ部１４から取得すると、他の電子ペーパシート装置１の識別情報と、他の電子ペーパシート装置１の各マーカー部１５の位置座標情報とを通信部１３を通じてサーバ２に送信し、他の電子ペーパシート装置１の表示画像に連続する部分画像を要求するものである。
【００３６】
通信部１３は、サーバ２にアクセスする伝送路側と通信信号の送受信を行うものである。
【００３７】
サーバ２は、電子ペーパシート装置１からの要求を受けて、要求された画像データを電子ペーパシート装置１に提供するものである。
【００３８】
図２に示すように、サーバ２は、通信部２１、制御部２２、データベース（ＤＢ）部２３を少なくとも有して構成される。
【００３９】
通信部２１は、電子ペーパシート装置１と通信する伝送路側と通信信号の送受信を行うものである。
【００４０】
制御部２２は、電子ペーパシート装置１から指定された画像データをＤＢ部２３から検索し、検索した画像データを通信部２１を通じて電子ペーパシート装置１に送信させるものである。
【００４１】
このとき、制御部２２は、図４に示す表示範囲管理テーブル２２ａを用いて、電子ペーパシート装置１から指定された部分画像の表示範囲情報を電子ペーパシート装置１の識別情報に対応付けて管理する。これにより、どの電子ペーパシート装置１にどの範囲の部分画像を表示させているかを記録することができる。
【００４２】
また、制御部２２は、電子ペーパシート装置１から他の電子ペーパシート装置１の識別情報と、当該他の電子ペーパシート装置１から検出したマーカー部１５の位置座標情報とを受け取ると、表示範囲管理テーブル２２ａを参照して、当該他の電子ペーパシート装置１の表示範囲を特定すると共に、当該他の電子ペーパシート装置１のマーカー部１５の位置座標情報と当該電子ペーパシート装置１の表示範囲とに基づいて、当該電子ペーパシート装置１に表示させる部分画像範囲を求め、この部分画像範囲の画像データを返信する。
【００４３】
ＤＢ部２３は、提供する画像データを保持するデータベースである。
【００４４】
（Ａ−２）第１の実施形態の動作
次に、第１の実施形態の情報表示システムにおける処理の動作について図面を参照しながら説明する。
【００４５】
以下では、表示画像を地図画像とし、それぞれ地図画像の部分画像を表示する２つの電子ペーパシート装置１を用いて連続する画像を表示する場合を例示して説明する。
【００４６】
図５は、電子ペーパシート装置１の画像取得処理を示すフローチャートである。また、図６及び図７は、電子ペーパシート装置１に表示させる地図画像を示す。
【００４７】
２つの電子ペーパシート装置１については、最初にサーバ２から受信した画像を表示するものを電子ペーパシート装置Ａと表記し、その後に、電子ペーパシート装置Ａの表示画像の続き画像を表示するものを電子ペーパシート装置Ｂと表記する。
【００４８】
まず、電子ペーパシート装置Ａにおいて、ユーザによる希望画像の選択及び表示する部分画像の範囲の指定の操作を受けると、電子ペーパシート装置Ａの表示制御部１２はサーバ２に対して画像取得要求を行う（ステップＳ１０１）。
【００４９】
このとき、電子ペーパシート装置Ａは、ユーザに指定された画像の識別情報、部分画像範囲の情報だけでなく、自装置の識別情報もサーバ２に送信する。また、表示範囲の指定方法としては、種々の方法を広く適用することができるが、例えば部分画像の四隅の座標値を選択する方法を適用することができる。
【００５０】
サーバ２では、電子ペーパシート装置Ａからの画像取得要求を受け取ると、要求された画像について指定された範囲の部分画像を検索し（ステップＳ１０２）、指定された表示画像の範囲から表示範囲管理テーブル２２ａを作成し（ステップＳ１０３）、検索した部分画像の画像データを電子ペーパシート装置Ａに送信する（ステップＳ１０４）。
【００５１】
サーバ２からの画像データが電子ペーパシート装置Ａに与えられると（ステップＳ１０５）、電子ペーパシート装置Ａでは、表示制御部１２の制御により、所望の部分画像が電子ペーパ制御部１１に表示される（ステップＳ１０６）。
【００５２】
例えば、図６に示す地図画像の全体地図ａが示されており、画像取得要求の際に、電子ペーパシート装置Ａのユーザにより表示させる部分が指定される。図６では、矩形で囲まれた範囲の部分画像ｂが、電子ペーパシート装置Ａのユーザにより指定された範囲とする。
【００５３】
このとき、全体地図ａについても所定の座標が設定されており、サーバ２は、指定された部分画像の四隅の座標情報に基づいて、部分画像を検索する。
【００５４】
そして、サーバ２により検索された部分画像の画像データを電子ペーパシート装置Ａに送信し、電子ペーパシート装置Ａは、この画像データに基づいて、図７に示すように部分画像を表示する。
【００５５】
次に、部分画像を表示している電子ペーパシート装置Ａの上に、重なり合うように第２の電子ペーパシート装置Ｂを置いたときに、電子ペーパシート装置Ａに表示される部分画像に連続する部分画像を第２の電子ペーパシート装置Ｂに表示させる場合の処理動作について図面を参照しながら説明する。
【００５６】
図８は、電子ペーパシート装置Ｂにおける処理を示すフローチャートである。また、図９〜図１４は、電子ペーパシート装置Ｂに表示させる地図画像の部分画像を示す。
【００５７】
例えば、図９に示すように、第１の電子ペーパシート装置Ａに表示される地図画像の西側の部分画像が必要となった場合、第１の電子ペーパシート装置Ａの左側（地図の西側）に第２の電子ペーパシート装置Ｂを配置する。
【００５８】
このとき、第２の電子ペーパシート装置Ｂは、電子ペーパ表示部１１の一部が第１の電子ペーパシート装置Ａに重なるように左側に配置されるとする。
【００５９】
第２の電子ペーパシート装置Ｂでは、電子ペーパ表示部１１のセンサ部１４が、下に配置された第１の電子ペーパシート装置Ａのマーカー部１５を検知する（ステップＳ２０１）。
【００６０】
第２の電子ペーパシート装置Ｂのセンサ部１４は、第１の電子ペーパシート装置Ａのマーカー部１５を検知すると、予め設定されている基準座標軸情報を基準として、これら検知したマーカー部１５の位置座標情報を求める（ステップＳ２０２）。
【００６１】
例えば、図１０では、第２の電子ペーパシート装置Ｂのセンサ部１４が５個のマーカー部１５を検知したとする。そして、図１１に示すように、左上端の隅部を（ｘ０，ｙ０）基準とし、上端部をｘ軸とし、左端部をｙ軸とする基準座標軸情報を参照して、検知した左側のマーカー部１５の座標を（ｘ１，ｙ１）、（ｘ２，ｙ２）、（ｘ３，ｙ３）、（ｘ４，ｙ４）、（ｘ５，ｙ５）とする。
【００６２】
次に、第２の電子ペーパシート装置Ｂでは、第１の電子ペーパシート装置Ａの識別情報、各マーカー部１５の位置座標情報及び自装置１の識別情報を少なくとも含んだ画像取得要求をサーバ２に送信する（ステップＳ２０３）。
【００６３】
ここで、第１の電子ペーパシート装置Ａの識別情報は、第２の電子ペーパシート装置Ｂを配置する際に、第２の電子ペーパシート装置Ｂに設定するようにしてもよいし、またセンサ部１４が検知する際に、第１の電子ペーパシート装置Ａから通信機能により取得するようにしてもよい。この通信機能は、通信部１３を利用してもよいし、又は別の通信部を備えるようにしてもよい。
【００６４】
サーバ２では、第２の電子ペーパシート装置Ｂから画像取得要求を受けると、第２の電子ペーパシート装置Ｂに表示される部分画像を検索する（ステップＳ２０４）。
【００６５】
ここで、サーバ２は、受信した第１の電子ペーパシート装置Ａの識別情報に基づいて表示範囲管理テーブルを参照し、第１の電子ペーパシート装置Ａに表示されている部分画像の範囲を確認する。
【００６６】
また、受信したマーカー部１５の位置座標情報に基づいて、サーバ２は、第１の電子ペーパシート装置Ａと第２の電子ペーパシート装置Ｂとの重なり部分を認識することができる。そして、表示範囲管理テーブル２２ａを参照して、第１の電子ペーパシート装置Ａの部分画像の表示範囲と重なり部分との照合を行い、第２の電子ペーパシート装置Ｂの表示範囲を検索する。
【００６７】
例えば、サーバ２は、第２の電子ペーパシート装置Ｂと重なる電子ペーパシート装置が第１の電子ペーパシート装置Ａであると認識し、マーカー部１５の位置座標情報から図１２に示すように重なり部分パターンを認識する。
【００６８】
そして、サーバ２は、表示範囲管理テーブル２２ａに管理している第１の電子ペーパシート装置Ａの左下端の地図座標値と重なり部分パターンとに基づいて、第２の電子ペーパシート装置Ｂの表示範囲の地図座標値を求め、この表示範囲の画像データを検索する。
【００６９】
ここで、サーバ２は、座標変換機能を有しており、第１の電子ペーパシート装置Ａの左下端部の位置座標情報を地図座標値に変換することで、第２の電子ペーパシート装置Ｂの四隅の地図座標値を求めるようにしてもよい。
【００７０】
例えば、サーバ２は、図１３に示すように、第１の電子ペーパシート装置Ａの部分地図範囲ｂを管理しているから、第２の電子ペーパシート装置Ｂから受信した重なり部分の位置と第１の電子ペーパシート装置Ａの部分地図範囲ｂとに基づいて、部分地図ｃの地図座標値を求め、部分地図ｃを求める。
【００７１】
次に、第２の電子ペーパシート装置Ｂの表示範囲が検索されると、サーバ２は、当該第２の電子ペーパシート装置Ｂの表示範囲を表示範囲管理テーブル２２ａに作成し（ステップＳ２０５）、検索した部分画像の画像データを電子ペーパシート装置Ｂに送信する（ステップＳ２０６）。
【００７２】
サーバ２からの画像データが電子ペーパシート装置Ｂに与えられると（ステップＳ２０７）、電子ペーパシート装置Ｂでは、表示制御部１２の制御により、所望の部分画像が電子ペーパ制御部１１に表示される（ステップＳ２０８）。
【００７３】
このようにして、図１４に示すように、第１の電子ペーパシート装置Ａに表示されている表示画像に連続する画像を、第２の電子ペーパシート装置Ｂに表示させるようにする。
【００７４】
（Ａ−３）第１の実施形態の効果
以上のように、第１の実施形態によれば、他の電子ペーパシート装置のマーカー部の位置関係により、他の電子ペーパシート装置の表示画像に連続する表示画像範囲を求めることができる。
【００７５】
また、第１の実施形態によれば、部分画像を表示させることを希望するユーザが、希望する位置に電子ペーパシート装置を置くだけで、部分画像を表示させることができるので、直感的なインタフェースを実現できる。
【００７６】
さらに、第１の実施形態によれば、電子ペーパシート装置を置く際に、タイル状に整列して置くなどの注意は必要なく、任意の置き方で表示画像を得ることができる。
【００７７】
（Ｂ）他の実施形態
（Ｂ−１）第２の電子ペーパシート装置の連続部分画像の取得処理について
第１の実施形態では、サーバ２が表示範囲管理テーブル２２ａを備え、第２の電子ペーパシート装置Ｂからの重なり部分の位置座標情報に基づいて、連続部分画像の座標値を求める場合を例示した。
【００７８】
しかし、上記第１の実施形態に限られるものではなく、第２の電子ペーパシート装置Ｂ自身が連続部分画像の座標値を決定し、サーバ２に要求するようにしてもよい。
【００７９】
例えば、図１６は、電子ペーパシート装置による連続部分画像の取得処理の変形例を示すフローチャートである。
【００８０】
電子ペーパシート装置１はサーバ２から画像データを取得すると、表示制御部１１が、取得した画像データを保持すると共に、その画像データの地図座標情報を保持する。これにより、自装置１が表示する部分画像の座標値を記憶することができる。
【００８１】
その後、ユーザが部分画像を望む箇所に、第２の電子ペーパシート装置Ｂを置くと、当該電子ペーパシート装置Ｂは、図１６に示す処理を行う。
【００８２】
第２の電子ペーパシート装置Ｂにおいて、センサ部１４が第１の電子ペーパシート装置Ａのマーカー部１５を検知する際（ステップＳ３０１及びＳ３０２）、電子ペーパシート装置Ｂは、他の電子ペーパシート装置Ａが表示させている部分画像の表示範囲の座標値を、当該他の電子ペーパシート装置Ａから取得する（ステップＳ３０３）。
【００８３】
ここで、他の電子ペーパシート装置Ａの表示範囲の座標値を取得する方法としては、例えば、無線通信や有線通信等により電子ペーパシート装置Ａが送出する表示範囲の座標値を取得する方法等を適用できる。
【００８４】
また、電子ペーパシート装置Ｂの表示制御部１１は、位置座標情報変換機能を有し、当該電子ペーパシート装置Ｂの表示部１１に表示する部分画像の必要座標値を求める（ステップＳ３０４）。
【００８５】
つまり、表示制御部１１は、第１の電子ペーパシート装置Ａが表示する部分画像の座標値と第１の電子ペーパシート装置Ａのマーカー部１５を検知した位置座標情報とに基づいて、自装置Ｂに表示させる部分画像の地図座標値を求める。
【００８６】
そして、電子ペーパシート装置Ｂが自装置Ｂの部分画像の地図座標値を求めると、その部分画像の地図座標値を含む画像取得要求をサーバ２に送信する（ステップＳ３０５）。
【００８７】
サーバ２は、電子ペーパシート装置Ｂからの画像取得要求に基づいて、指定された部分画像の画像データを検索して（ステップＳ３０６）、電子ペーパシート装置Ｂに送信する（ステップＳ３０７）。これを受けて、電子ペーパシート装置Ｂは、受信した画像データに基づいて部分画像を表示する（ステップＳ３０８及びＳ３０９）。
【００８８】
以上の処理を行うことにより、第１の実施形態の効果を奏することに加え、サーバ２が管理テーブルを備えることなく、情報表示システムを実現することができる。
【００８９】
（Ｂ−２）第１の実施形態では、サーバが表示画像データを蓄積し、サーバに対して画像取得要求する場合を例示したが、この表示画像データがＷｅｂ上のデータであってもよく、また接続先がインターネットであってもよい。
【００９０】
（Ｂ−３）第１の実施形態では、２個の電子ペーパシート装置を用いた場合を例示したが、３個以上の電子ペーパシー装置が重ねて置かされた場合でも同様に適用可能である。従って、第１の電子ペーパシート装置が２個ある場合でも、それぞれに重ねて配置される第２の電子ペーパシート装置は、それぞれの第１の電子ペーパシート装置との間の相対的な配置関係を求めて連続部分画像を取得することができる。
【図面の簡単な説明】
【００９１】
【図１】第１の実施形態の電子ペーパシート装置の構成を示す構成図である。
【図２】第１の実施形態の電子ペーパシート装置を用いた情報通信システムの構成を示す構成図である。
【図３】第１の実施形態の電子ペーパシート装置のセンサ部が有する基準座標軸情報を示す説明図である。
【図４】第１の実施形態の表示範囲管理テーブルの構成を示す構成図である。
【図５】第１の実施形態の電子ペーパシート装置の画像取得処理を示すフローチャートである。
【図６】第１の実施形態の電子ペーパシート装置に表示させる地図画像を示す。
【図７】第１の実施形態の電子ペーパシート装置に表示させる地図画像を示す。
【図８】第１の実施形態の電子ペーパシート装置の連続する画像を取得処理を示すフローチャートである。
【図９】第１の実施形態の２個の電子ペーパシート装置を重ねた様子を示す説明図である。
【図１０】第１の実施形態の重なった電子ペーパシート装置のマーカー部の位置関係を示す説明図である。
【図１１】第１の実施形態の電子ペーパシート装置のマーカー部の位置座標検知を説明する説明図である。
【図１２】第１の実施形態の電子ペーパシート装置間の重なり部分を示す図である。
【図１３】第１の実施形態の電子ペーパシート装置に表示する部分画像の位置関係を説明する説明図である。
【図１４】第１の実施形態の２個の電子ペーパシート装置に表示させる部分画像の様子を示す図である。
【図１５】第１の実施形態の電子ペーパシート装置に配置させるマーカー部の配置例を示す図である。
【図１６】電子ペーパシート装置の連続する画像を取得処理の変形例を示すフローチャートである。
【符号の説明】
【００９２】
１…電子ペーパシート装置、１１…電子ペーパ表示部、１２…表示制御部、１３…通信部、１４…センサ部、１５…マーカー部、２…サーバ、２１…通信部、２２…制御部、２３…データベース（ＤＢ）部。
【図１】
2010049485.tif 000003
【図２】
2010049485.tif 000004
【図３】
2010049485.tif 000005
【図４】
2010049485.tif 000006
【図５】
2010049485.tif 000007
【図６】
2010049485.tif 000008
【図７】
2010049485.tif 000009
【図８】
2010049485.tif 000010
【図９】
2010049485.tif 000011
【図１０】
2010049485.tif 000012
【図１１】
2010049485.tif 000013
【図１２】
2010049485.tif 000014
【図１３】
2010049485.tif 000015
【図１４】
2010049485.tif 000016
【図１５】
2010049485.tif 000017
【図１６】
2010049485.tif 000018